(57)【要約】    【課題】通気性及び吸汗性に優れ、精緻な立体模様プリント等が実現され、さらに経済性にも優れたカールマイヤープリント生地を提供すること。    【解決手段】カールマイヤー編機により、２枚の基布がパイル糸で連結されて編成された編地に対して、前記基布を連結しているパイル糸の中間がカットされ、前記編地が２つに分離されて構成された編地２０を生地とし、該生地の少なくとも非パイル面にプリントが施されている【選択図】図２
0003108139.tif 000002
【実用新案登録請求の範囲】
【請求項１】
カールマイヤー編機により、２枚の基布がパイル糸で連結されて編成された編地に対して、前記基布を連結しているパイル糸の中間でカットされ、前記編地が２つに分離されて構成された編地を生地とし、該生地の少なくとも非パイル面にプリントが施されていることを特徴とするカールマイヤープリント生地。
【請求項２】
前記生地のパイル面に、立毛処理が施されていることを特徴とする請求項１記載のカールマイヤープリント生地。
【請求項３】
前記生地の非パイル面に、立体模様プリントが施されていることを特徴とする請求項１又は請求項２に記載のカールマイヤープリント生地。
【請求項４】
前記生地のパイル面に、プリントが施されていることを特徴とする請求項１〜３のいずれかの項に記載のカールマイヤープリント生地。
【請求項５】
前記プリントが施される前に、中淡色で無地染色が施されていることを特徴とする請求項１〜４のいずれかの項に記載のカールマイヤープリント生地。
【請求項６】
前記パイル面におけるパイル糸の長さが、０．０１ｍｍ〜３０ｍｍの範囲で設定されていることを特徴とする請求項1〜５のいずれかの項に記載のカールマイヤープリント生地。
【請求項７】
パイル糸として、綿、羊毛、麻、シルク、カシミヤ、アクリル、アンゴラ、ポリエステル、ナイロンのうちの１種あるいはこれらが組み合された繊維が用いられていることを特徴とする請求項１〜６のいずれかの項に記載のカールマイヤープリント生地。
【考案の詳細な説明】
【技術分野】
【０００１】
本考案は生地に関し、より詳細にはカールマイヤープリント生地に関する。
【背景技術】
【０００２】
ドイツ製のカールマイヤー編機（以下、マイヤー編機と称する）を用いて作られたマイヤー毛布及びニューマイヤー毛布は広く知られている。
従来のマイヤー毛布は、原糸とパイル糸を使ってマイヤー編機により、２枚の基布を編みながらこれらをパイル糸で連結する形態で編成された編地に対して、前記基布を連結しているパイル糸の中間をカット（センターカット）して前記編地を２枚に分離し、さらに分離された２枚の編地のパイル面にそれぞれプリント、立毛仕上げ、シャーリング処理などを施した後、前記２枚の編地をパイル面を外側にして貼り合わせることにより作られている。
【０００３】
一方、ニューマイヤー毛布は、原糸とパイル糸を使ってマイヤー編機により、２枚の基布を編みながらこれらをパイル糸で連結する形態で編成された編地に対して、前記基布を連結しているパイル糸の中間をカット（センターカット）して前記編地を２枚に分離し、分離された編地のパイル面にプリント、立毛仕上げ、シャーリング処理、他面には起毛処理、シャーリング処理などを施すことにより作られている。
【０００４】
上記した従来のマイヤー毛布は、その両面にあるパイル糸に対して立毛処理が施されているから、毛足が長く、保温性と触感に優れており、冬用毛布として広く使われている。また、ニューマイヤー毛布は、カットされた1枚の編地しか使われていないので、触感に優れ、軽く柔らかいため、広く使われている。
【０００５】
しかしながら、前記マイヤー毛布の場合、２枚の編地を貼り合わせることにより作られているため、重たく通気性に劣るという課題があった。また、毛足の長いパイル面にプリントが施されるため、立体模様等高品質な精緻なプリントが実現されにくいという課題があった。
【０００６】
また、前記ニューマイヤー毛布の場合、非パイル面に起毛処理が施される際に、プリントが施されたパイル面の繊維が非パイル面に持ち込まれるため、前記パイル面のプリント模様が若干損なわれ、しかも、前記非パイル面の色柄が前記パイル面より薄くなった色柄になってしまうので、立体模様等高品質な精緻なプリントが実現されにくいという課題があった。
【考案の開示】
【課題を解決するための手段及びその効果】
【０００７】
本考案は上記課題に鑑みなされたものであって、通気性及び吸汗性に優れ、精緻な立体模様プリント等が実現され、さらに経済性にも優れたカールマイヤープリント生地を提供することを目的としている。
【０００８】
上記目的を達成するために、本考案に係るカールマイヤープリント生地（１）は、カールマイヤー編機により、２枚の基布がパイル糸で連結されて編成された編地に対して、前記基布を連結しているパイル糸の中間でカットされ、前記編地が２つに分離されて構成された編地を生地とし、該生地の少なくとも非パイル面にプリントが施されていることを特徴としている。
【０００９】
上記カールマイヤープリント生地（１）によれば、２枚の基布がパイル糸で連結されて編成された編地に対して、前記基布を連結しているパイル糸の中間でカットされ、前記編地が２つに分離されて構成された編地を生地とし、該生地の少なくとも非パイル面にプリントが施されているため、前記生地の一面が毛の立っていない滑らかな表面となり、もう一面ではパイル糸の立ち並んでいるパイル面となり、べとつかない爽やかな触感と柔らかく温かい触感との両方を出すことができ、通気性と吸汗性に優れた生地を提供することが可能である。また、従来のニューマイヤー毛布を作成する場合に行っていた起毛処理を意図的に施さないため、立体模様等高品質な精緻なプリントを実現することが容易になり、しかもコストダウンを図ることができる。
【００１０】
また、本考案に係るカールマイヤープリント生地（２）は、上記したカールマイヤープリント生地（１）において、前記生地のパイル面に、立毛処理が施されていること特徴としている。
上記カールマイヤープリント生地（２）によれば、前記生地のパイル面に、立毛処理が施されているため、パイル面がきめ細かくなり、保温性と触感を向上させることができる。
【００１１】
また、本考案に係るカールマイヤープリント生地（３）は、上記したカールマイヤープリント生地（１）又は（２）において、前記生地の非パイル面に、立体模様プリントが施されていることを特徴としている。
上記カールマイヤープリント生地（３）によれば、滑らかな表面となる前記生地の非パイル面に、立体模様プリントが施されるため、精緻な立体模様プリントを実現することができる。
【００１２】
また、本考案に係るカールマイヤープリント生地（４）は、上記したカールマイヤープリント生地（１）〜（３）のいずれかにおいて、前記生地のパイル面にプリントが施されていることを特徴としている。
上記カールマイヤープリント生地（４）によれば、前記生地のパイル面にプリントが施されるため、該パイル面が表側として使用される生地を提供することができる。
【００１３】
また、本考案に係るカールマイヤープリント生地（５）は、上記したカールマイヤープリント生地（１）〜（４）のいずれかにおいて、前記プリントが施される前に、中淡色で無地染色が施されていることを特徴としている。
上記カールマイヤープリント生地（５）によれば、前記プリントが施される前に、中淡色で無地染色が施されているため、さらに美観に優れた生地を提供することができる。
【００１４】
また、本考案に係るカールマイヤープリント生地（６）は、上記したカールマイヤープリント生地（１）〜（５）のいずれかにおいて、前記パイル面におけるパイル糸の長さが、０．０１ｍｍ〜３０ｍｍの範囲で設定されていることを特徴としている。
上記カールマイヤープリント生地（６）によれば、使用目的に応じて前記パイル面におけるパイル糸の長さを設定することにより、保温性と触感の異なる生地を提供することができる。
【００１５】
また、本考案に係るカールマイヤープリント生地（７）は、上記したカールマイヤープリント生地（１）〜（６）のいずれかにおいて、パイル糸として、綿、羊毛、麻、シルク、カシミヤ、アクリル、アンゴラ、ポリエステル、ナイロンのうちの１種あるいはこれらが組み合された繊維が用いられていることを特徴としている。
【００１６】
上記カールマイヤープリント生地（７）によれば、パイル糸として、綿、羊毛、麻、シルク、カシミヤ、アクリル、アンゴラ、ポリエステル、ナイロンのうちの１種あるいはこれらが組み合された繊維が用いられているため、使用目的に応じて、望みの触感、通気性、吸汗性等を有する生地を提供することができる。
【考案を実施するための最良の形態】
【００１７】
以下、本考案に係るカールマイヤープリント生地の実施の形態を図面に基づいて説明する。
図１は、マイヤー編機を用いて編成された編地の垂直断面を示す断面図であり、図中１０は編地を示しており、１１は基布を示しており、１２はパイル糸を示している。図１に示したように、編地１０は、密なパイル糸１２により両地布１１が連結されて構成されている。このような編地１０が、カールマイヤー編機により、原糸とパイル糸を使って編成されたものである。
【００１８】
図２は、本考案の実施の形態に係るカールマイヤープリント生地を構成する編地の垂直断面を示す断面図である。図中２０は、図１に示した編地１０に対して、パイル糸１２の中間でカットされ、編地１０が２つに分離されて構成された編地を示しており、２１は編地２０のパイル面（カット面）を示しており、２２は編地２０の非パイル面（非カット面）を示しており、２３はパイル面におけるパイル糸を示しており、２４は基布を示している。図２に示したように、パイル面２１は密なパイル糸が立ち並んでいるため、柔らかい触感と吸汗性を有する表面となっている。一方、非パイル面２２は、パイル糸２３が編み込まれた基布２４をベースとした立毛のない平坦な布面となっているため、べとつかない爽やかな触感を有し、また立体模様プリント等精緻なプリントが容易に施される布面となっている。
【００１９】
係る編地２０に対して、まず中淡色で無地染色が施され（図示せず）、それからプリント処理が施されることにより、図３に示したようなカールマイヤープリント生地１が作成される。図３は、カールマイヤープリント生地１の非パイル面２２に施されたプリントの1例を示しており、非パイル面２２には立体感のあるプリント模様が施されている。また、図４はカールマイヤープリント生地１のパイル面２１に施されたプリントの1例を示しており、パイル面２１には立体模様ではない通常のパズル模様がプリントされている。
【００２０】
このように、パイル面２１と非パイル面２２にそれぞれプリントが施されているため、例えば、夏には、爽やかな触感を持つ非パイル面２２が肌に接する内面とされ、パズル模様のあるパイル面２１が外面とされ、春秋には、柔らかく温かい触感を持つパイル面２１が肌に接する内面とされ、立体模様がプリントされている非パイル面２２が外面とされるように、両面使い分けることが可能である。
【００２１】
パイル面２１におけるパイル糸２３の長さは、使用目的に応じて設定される。例えば、薄く通気性の良い敷き布又は掛け布などを作る場合には、パイル糸２３の長さを短め、例えば１〜３ｍｍの範囲で設定する。また、保温性と吸汗性の良い敷き布又は掛け布などを作る場合には、パイル糸２３を長め、例えば５ｍｍ〜の範囲で設定する。
【００２２】
また、パイル糸２３の素材としては、綿、羊毛、麻、シルク、カシミヤ、アクリル、アンゴラ、ポリエステル、ナイロンのうちの１種あるいはこれらが組み合わされた繊維が用いられ、使用目的に合わせて選択される。例えば、春秋用の高級寝具を作る場合、素材中のカシミヤ、アンゴラの構成成分が高められ、高い保温性と優れた触感が実現される。また、夏用の高級寝具を作る場合、素材中のシルクの構成成分が高められ、滑らかな触感、高い通気性及び綺麗な光沢が実現される。また、綿、麻を主な構成成分とすれば、爽やかな触感、良好な吸汗性を有し、家庭で洗濯容易な、しかも安価な生地を実現することができる。また、ポリエステル、ナイロンを主な構成成分とすることにより、光沢と強度に優れ、家庭で洗濯容易な、しかも安価な生地を実現することができる。
【００２３】
上記したカールマイヤープリント生地１によれば、立毛のない平坦な非パイル面２２は爽やかな触感を有し、パイルが立ち並んでいるパイル面２１は柔らかく温かい触感を有するため、両面使い分けが可能な生地を実現することができる。また、空気がパイル糸２３間の隙間及び基布２４を通り抜けしやすいため、通気性に優れ、パイル糸２３が水分を吸い込めるため吸汗性にも優れている。さらに、従来のニューマイヤー毛布を作る場合に行っていた起毛処理を意図的に施さないため、非パイル面２２に立体模様プリント等精緻なプリントが容易に施されるだけではなく、パイル面２１のプリント模様も損なわれることがなく、しかもコストダウンを図ることができる。
【００２４】
上記した実施の形態では、編地２０のパイル面２１に対して、立毛処理が施されていないが、別の実施の形態では、編地２０のパイル面２１に対して、立毛処理が施される。図５は、パイル面に立毛処理が施されたカールマイヤープリント生地を構成する編地の垂直断面を示した断面図である。図中３０は、図２に示した編地２０に対して、パイル面２１に立毛処理が施されている編地を示しており、３１は立毛処理が施されているパイル面を示しており、３２は非パイル面を示している。
【００２５】
図５に示したように、立毛処理が施されているパイル面３１におけるパイル糸が細かく解かれているため、パイル面３１がきめ細かくフワフワとなり、保温性と触感がより一層向上されたカールマイヤープリント生地を実現することができる。
【図面の簡単な説明】
【００２６】
【図１】マイヤー編機を用いて編成された編地の垂直断面を示す断面図である。
【図２】本考案の実施の形態に係るカールマイヤープリント生地を構成する編地の垂直断面を示す断面図である。
【図３】本考案の実施の形態に係るカールマイヤープリント生地の非パイル面に施されるプリントの1例を示す図である。
【図４】本考案の実施の形態に係るカールマイヤープリント生地のパイル面に施されるプリントの1例を示す図である。
【図５】パイル面に立毛処理が施されたカールマイヤープリント生地を構成する編地の垂直断面を示した断面図である。
【符号の説明】
【００２７】
１  カールマイヤープリント生地
１０  編地
１１  基布
１２  パイル糸
２０  編地
２１  パイル面
２２  非パイル面
２３  パイル糸
２４  基布
３０  編地
３１  パイル面
３２  非パイル面
【図１】
0003108139.tif 000003
【図２】
0003108139.tif 000004
【図５】
0003108139.tif 000005
【図３】
0003108139.tif 000006
【図４】
0003108139.tif 000007